(57)【要約】【課題】より高い耐震性能を得ることができる変圧器を提供する。【解決手段】本実施形態に係る変圧器は、変圧器本体部と、前記変圧器本体部を支持する支持脚部と、前記支持脚部を補強する補強部と、前記支持脚部において前記補強部よりも外側に設けられ、前記支持脚部を固定する外側ボルト孔部と、前記支持脚部において前記補強部よりも内側に設けられ、前記支持脚部を固定する内側ボルト孔部と、を備える。【選択図】図１
2018032718.tif 000002
【特許請求の範囲】
【請求項１】
変圧器本体部と、
前記変圧器本体部を支持する支持脚部と、
前記支持脚部を補強する補強部と、
前記支持脚部において前記補強部よりも外側に設けられ、前記支持脚部を固定する外側ボルト孔部と、
前記支持脚部において前記補強部よりも内側に設けられ、前記支持脚部を固定する内側ボルト孔部と、
を備える変圧器。
【請求項２】
前記内側ボルト孔部と前記補強部との間の距離は、前記外側ボルト孔部と前記補強部との間の距離よりも短い請求項１に記載の変圧器。
【請求項３】
前記内側ボルト孔部の径寸法は、前記外側ボルト孔部の径寸法と同じである請求項１または２に記載の変圧器。
【請求項４】
前記内側ボルト孔部は、前記変圧器本体部の下方に設けられており、且つ、前記内側ボルト孔部から前記変圧器本体部の側面までの距離は、前記内側ボルト孔部から前記変圧器本体部の中央までの距離よりも短い請求項１から３の何れか１項に記載の変圧器。
【発明の詳細な説明】
【技術分野】
【０００１】
本発明の実施形態は、変圧器に関する。
【背景技術】
【０００２】
変圧器は、例えば地震などにより転倒することを回避するために、より高い耐震性能を備えることが求められている。例えば特許文献１には、変圧器を支持するベースの両端部に孔部を設け、この孔部をアンカーボルトで固定することにより、変圧器を設置することが開示されている。
【先行技術文献】
【特許文献】
【０００３】
【特許文献１】特開２０１５−１８９９５号公報
【発明の概要】
【発明が解決しようとする課題】
【０００４】
しかし、変圧器を支持するベースの両端部をアンカーボルトで固定しただけの構成では、十分な耐震性能が得られないおそれがある。そこで、本実施形態は、より高い耐震性能を得ることができる変圧器を提供する。
【課題を解決するための手段】
【０００５】
本実施形態に係る変圧器は、変圧器本体部、支持脚部、補強部、外側ボルト孔部、内側ボルト孔部を備える。支持脚部は、前記変圧器本体部を支持する。補強部は、前記支持脚部を補強する。外側ボルト孔部は、前記支持脚部において前記補強部よりも外側に設けられ、前記支持脚部を固定する。内側ボルト孔部は、前記支持脚部において前記補強部よりも内側に設けられ、前記支持脚部を固定する。
【図面の簡単な説明】
【０００６】
【図１】本実施形態に係る変圧器の構成例を概略的に示す平面図
【図２】本実施形態に係る変圧器の下部の構成例を概略的に示す側面図
【図３】本実施形態に係る支持脚部の内側ボルト孔部およびその周辺部分の構成例を概略的に示す拡大図
【発明を実施するための形態】
【０００７】
以下、変圧器に係る一実施形態について図面を参照しながら説明する。図１および図２に例示する変圧器１０は、変圧器本体部１１および支持脚部１２を備える。変圧器本体部１１の内部には、図示しない巻線、鉄心、フレームユニットなどが備えられている。巻線はコイル状に巻回されており、この巻線に鉄心の脚部が挿通されている。フレームユニットは、これら巻線および鉄心を支持している。
【０００８】
支持脚部１２は、変圧器本体部１１の前後方向に延びており、当該変圧器本体部１１の左端部側の下方および右端部側の下方にそれぞれ設けられている。支持脚部１２は、その長手方向に直交する方向の断面がほぼＬ字状に折り曲げられており、垂直方向に延びる垂直壁部１２ａおよび水平方向に延びる水平壁部１２ｂを有する。支持脚部１２は、変圧器本体部１１の左端部側の下方および右端部側の下方において、それぞれ垂直壁部１２ａを内側、水平壁部１２ｂを外側に向けた状態で配置されている。
【０００９】
支持脚部１２は、当該支持脚部１２を補強する補強部１３を備える。補強部１３は、板状に形成されており、変圧器本体部１１の左右方向に沿って配置されている。補強部１３は、垂直壁部１２ａの外面および水平壁部１２ｂの上面に例えば溶接などにより固着されている。補強部１３は、変圧器１０の上方から見て、変圧器本体部１１の側面に極力近い位置に設けることが好ましい。
【００１０】
支持脚部１２の水平壁部１２ｂにおいて補強部１３よりも外側となる部分、つまり、支持脚部１２の端部には、当該支持脚部１２を設置部１００に固定するための外側ボルト孔部２１が設けられている。また、支持脚部１２の水平壁部１２ｂにおいて補強部１３よりも内側となる部分にも、当該支持脚部１２を設置部１００に固定するための内側ボルト孔部２２が設けられている。支持脚部１２、ひいては当該支持脚部１２に支持される変圧器本体部１１は、複数、この場合、８つのボルト孔部２１，２２が図示しないアンカーボルトで固定されることにより、設置部１００に強固に固定された状態で据え付けられる。
【００１１】
ここで、内側ボルト孔部２２は、外側ボルト孔部２１よりも補強部１３の近傍に設けられており、即ち、内側ボルト孔部２２と補強部１３との間の距離Ｄ１は、外側ボルト孔部２１と補強部１３との間の距離Ｄ２よりも短くなっている。図３に例示するように、内側ボルト孔部２２と補強部１３との間の距離Ｄ１は、例えば日本工業規格で規定されている平座金２００の半径寸法Ｒを考慮して、当該平座金２００を支持脚部１２の水平壁部１２ｂ上に水平に載置できる最小の距離を少なくとも確保するようにするとよい。
【００１２】
また、外側ボルト孔部２１は、変圧器１０の上方から見て、変圧器本体部１１の側面よりも外側に設けられている。これに対し、内側ボルト孔部２２は、変圧器本体部１１の下方に設けられており、従って、変圧器１０の上方から見て、変圧器本体部１１の側面よりも内側に設けられている。そして、内側ボルト孔部２２から変圧器本体部１１の側面までの距離Ｄ３は、内側ボルト孔部２２から変圧器本体部１１の中央までの距離Ｄ４よりも短くなっている。また、内側ボルト孔部２２の径寸法は、外側ボルト孔部２１の径寸法とほぼあるいは全く同じ寸法となっている。従って、複数のボルト孔部２１，２２は、共通の規格寸法のアンカーボルトで固定することが可能となっている。
【００１３】
本実施形態に係る変圧器１０によれば、支持脚部１２において補強部１３よりも外側に当該支持脚部１２を固定するための外側ボルト孔部２１を有し、さらに、支持脚部１２において補強部１３よりも内側に当該支持脚部１２を固定するための内側ボルト孔部２２を有している。この構成によれば、補強部１３の近傍において当該補強部１３を挟む外側部分と内側部分において支持脚部１２を設置部１００に強固に固定することができ、ひいては、変圧器１０全体を設置部１００に強固に固定することができ、より高い耐震性能を得ることができる。
【００１４】
また、変圧器１０によれば、内側ボルト孔部２２と補強部１３との間の距離Ｄ１は、外側ボルト孔部２１と補強部１３との間の距離Ｄ２よりも短くなっている。即ち、支持脚部１２は、補強部１３により補強されている部分の近傍において内側ボルト孔部２２がアンカーボルトで固定される。そのため、支持脚部１２の固定部分、つまりアンカーボルトで固定されている部分およびその周辺部分の変形を補強部１３により抑えることができ、耐震性能の一層の向上を図ることができる。
【００１５】
また、変圧器１０によれば、内側ボルト孔部２２の径寸法は、外側ボルト孔部２１の径寸法とほぼあるいは全く同じ寸法となっている。従って、共通の規格寸法のアンカーボルトにより全てのボルト孔部２１，２２を固定することができ、外側ボルト孔部２１を固定するための専用のアンカーボルト、および、内側ボルト孔部２２を固定するための専用のアンカーボルトを別々に用意する必要が無い。また、アンカーボルトを締め付けるための工具も、共通の規格寸法のアンカーボルトを締め付ける工具を共通で使用することができ、外側ボルト孔部２１を固定するための専用の工具、および、内側ボルト孔部２２を固定するための専用の工具を別々に用意する必要が無い。
【００１６】
また、変圧器１０によれば、内側ボルト孔部２２は、変圧器本体部１１の下方に設けられており、且つ、内側ボルト孔部２２から変圧器本体部１１の側面までの距離Ｄ３は、内側ボルト孔部２２から変圧器本体部１１の中央までの距離Ｄ４よりも短くなっている。即ち、内側ボルト孔部２２は、変圧器本体部１１の下方において当該変圧器本体部１１の側面に極力近い位置に設けられることが好ましい。内側ボルト孔部２２が変圧器本体部１１の下方において当該変圧器本体部１１の側面に極力近い位置に設けられた構成によれば、作業者は、内側ボルト孔部２２をアンカーボルトで固定する作業を、変圧器本体部１１の下部に入り込まなくとも、変圧器本体部１１の側部から行うことができ、変圧器１０の設置作業を容易に行うことができる。
【００１７】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００１８】
図面中、１０は変圧器、１１は変圧器本体部、１２は支持脚部、１３は補強部、２１は外側ボルト孔部、２２は内側ボルト孔部を示す。
【図１】
2018032718.tif 000003
【図２】
2018032718.tif 000004
【図３】
2018032718.tif 000005